(57)【要約】【課題】  リサイクルショップの店頭など、外出先で見つけた商品がいくらで売れるか簡単に調べることができる装置を提供する。【解決手段】  出品情報提供装置３０は、携帯端末５から商品を特定する商品特定情報を受信すると、オンラインショップにおけるその商品の出品価格を取得すし、携帯端末５に送り返す。このようにして、携帯端末５を持つユーザは、店頭で商品の出品価格などの情報を検索することができる。携帯端末５には、バーコードリーダが設けられ、これを用いて商品特定情報を簡単に取得することができる。【選択図】  図１
2007048021.tif 000002
【特許請求の範囲】
【請求項１】
画像、電磁波、電波、音声または磁気を認識する認識手段を備える携帯端末で実行されるプログラムであって、
前記認識手段で認識した商品の情報に基づき、商品を特定する商品特定情報を取得する商品特定情報取得ステップと、
取得した前記商品特定情報に基づき、複数の出品者が商品を出品可能なオンラインショップ、またはオンラインオークションに出品される商品の情報を検索する検索ステップとを有することを特徴とする出品情報取得プログラム。
【請求項２】
画像、電磁波、電波、音声または磁気を認識する認識手段を備える携帯端末を用いる出品情報取得方法であって、
前記認識手段で、商品を特定する商品特定情報を取得する商品特定情報取得ステップと、
取得した前記商品特定情報に基づき、複数の出品者が商品を出品可能なオンラインショップ、またはオンラインオークションに出品される商品の情報を検索する検索ステップとを有することを特徴とする出品情報取得方法。
【請求項３】
携帯端末で実行されるプログラムであって、
商品を特定する商品特定情報を取得するステップと、
複数の出品者が商品を出品可能なオンラインショップのサーバ、またはオンラインオークションの落札情報を保存するサーバに接続するステップと、
前記商品特定情報に基づき、その商品のオンラインショップでの出品情報、またはオンラインオークションでの落札情報を検索するステップとを有することを特徴とする出品情報取得プログラム。
【請求項４】
前記商品特定情報を取得するステップは、携帯端末のキー入力によって商品特定情報を取得し、「＊」または「＃」のキーが押されたとき、「＊」または「＃」を「Ｘ」に変換することを特徴とする請求項１または３記載の出品情報取得プログラム。
【請求項５】
携帯端末で実行されるプログラムであって、
商品の情報を入力するステップと、
複数の出品者が商品を出品可能なオンラインショップのサーバ、またはオンラインオークションのサーバに接続するステップと、
入力された商品の情報を前記オンラインショップのサーバ、またはオンラインオークションのサーバに送信して商品を出品するステップとを有することを特徴とする出品プログラム。
【請求項６】
携帯端末から商品の情報を入力するステップと、
複数の出品者が商品を出品可能なオンラインショップのサーバ、またはオンラインオークションのサーバに接続するステップと、
入力された商品の情報を前記オンラインショップのサーバ、またはオンラインオークションのサーバに送信して商品を出品するステップとを有することを特徴とする出品方法。
【発明の詳細な説明】
【技術分野】
【０００１】
本発明は、オンラインショップやオンラインオークションに出品しようとするユーザに、出品商品の情報を提供したり、出品を支援するプログラムに関する。
【背景技術】
【０００２】
従来から、インターネットを介して商品を販売するオンラインショップが多く存在する。オンラインショップは、ユーザがインターネットを介してオンラインショップのサーバに接続して商品を閲覧し、購入するシステムとなっている。このようなユーザが商品を購入するだけのオンラインショップに対して、最近では、ＣｔｏＣ（ｃｏｎｓｕｍｅｒ  ｔｏ  ｃｏｎｓｕｍｅｒ）などと呼ばれ、ユーザがユーザに商品を販売できるオンラインショップが存在する。
【０００３】
たとえば、特許文献１には、複数の出品者が出品可能なオンラインショップ（マーケットプレイス）が開示されている。このオンラインショップでは、１商品につき１ページの商品ページが作成され、１つの商品ページには、商品名や、商品内容、評価などのその商品に関連する情報がウェブページで表示される。この商品を購入したいユーザは、このページから購入することが可能である。
【０００４】
その商品と同じ商品を持っていて販売したいと考えているユーザは、出品者名、その商品のコンディション、商品価格を登録することで販売可能となる。なお、コンディションとは、中古品である場合、「良い」とか「非常に良い」といった商品の状態を表す情報である。
【０００５】
前記商品ページには、その商品と同じ商品を出品する出品者の販売ページがリンクされており、出品者の販売ページを開くと、出品者名、コンディション、価格が一行であらわされる出品リストが表示される。購入したいユーザは、ここで気に入った商品を選択することで、出品者から商品を購入することができる。
【０００６】
このようにユーザが商品を出品して他のユーザに販売するビジネスモデルは、オンラインショップに限らず、たとえば特許文献２に記載されるようなオンラインオークションでも可能である。
【０００７】
ユーザが出品する商品は、読み終わった本や、聴かなくなったＣＤ（ｃｏｍｐａｃｔ  ｄｉｓｋ）など、家庭にあるものが多いが、最近は、このような家庭内の不用品のリサイクルでなく、ビジネスとして、街で商品を仕入れてオンラインショップやオンラインオークションで販売するといったことも広く行われるようになってきている。たとえば、リサイクルショップやフリーマーケットで購入し、それを出品するといった場合である。購入価格と販売価格との差が利益となるわけである。
【０００８】
【特許文献１】特表２００５−５０８０３８号公報
【特許文献２】特開２００１−１０１３１７号公報
【発明の開示】
【発明が解決しようとする課題】
【０００９】
オンラインショップでは、一般に最も安い商品から売れていく。つまり、出品商品の最安値が販売価格の目安となる。また、オークションでは、過去の落札価格などが目安となる。したがって、出品商品の最安値や過去の落札価格よりも安く購入することができれば利益を確保しやすくなる。逆に、仕入れ値が出品商品の最安値よりも高いと損失を出してしまう。
【００１０】
ここで問題なのは、店で商品を購入するときには、出品商品の最安値がいくらか、過去の落札価格がいくらかといったことがわからないことである。リサイクルショップやフリーマーケットに何が売られているかは、あらかじめ知る事ができず、購入して家に持って帰ってきてインターネットで調べてはじめていくらで売れるのかわかるからである。
【００１１】
したがって、リサイクルショップで安く売られていて、「これをインターネットで売れば儲かる」と思って購入したが、家に帰って調べてみると、思ったほど高く売れないとわかって損失をだしてしまうといった問題がよく起こる。これを回避するために、高く売れる商品を覚えておいたり、メモに書いておいて店で高く売れる商品を探すといったことも行われているが、探している商品が運よく見つかるといったことはほとんどないのが現状である。
【００１２】
また、店頭で商品を見つけた場合、その商品を出品するには、家に持って帰り、家のＰＣ（Ｐｅｒｓｏｎａｌ  Ｃｏｍｐｕｔｅｒ）から出品しなければならならず手間がかかる。できれば、その場で商品を出品できる方が好ましい。
【００１３】
本発明の目的は、店頭などで見つけた商品を、その場でいくらで売れるか判断したり、その場で出品できたりするプログラムを提供することである。
【課題を解決するための手段】
【００１４】
上記目的を達成するための第１の課題解決手段は、画像、電磁波、電波、音声または磁気を認識する認識手段を備える携帯端末で実行されるプログラムであって、
前記認識手段で認識した商品の情報に基づき、商品を特定する商品特定情報を取得する商品特定情報取得ステップと、
取得した前記商品特定情報に基づき、複数の出品者が商品を出品可能なオンラインショップ、またはオンラインオークションに出品される商品の情報を検索する検索ステップとを有することを特徴とする。
【００１５】
また、第２の課題解決手段は、画像、電磁波、電波、音声または磁気を認識する認識手段を備える携帯端末を用いる出品情報取得方法であって、
前記認識手段で、商品を特定する商品特定情報を取得する商品特定情報取得ステップと、
取得した前記商品特定情報に基づき、複数の出品者が商品を出品可能なオンラインショップ、またはオンラインオークションに出品される商品の情報を検索する検索ステップとを有することを特徴とする。
【００１６】
さらに、第３の課題解決手段は、携帯端末で実行されるプログラムであって、
商品を特定する商品特定情報を取得するステップと、
複数の出品者が商品を出品可能なオンラインショップのサーバ、またはオンラインオークションの落札情報を保存するサーバに接続するステップと、
前記商品特定情報に基づき、その商品のオンラインショップでの出品情報、またはオンラインオークションでの落札情報を検索するステップとを有することを特徴とする。
【００１７】
さらにまた、第４の課題解決手段は、前記商品特定情報を取得するステップは、携帯端末のキー入力によって商品特定情報を取得し、「＊」または「＃」のキーが押されたとき、「＊」または「＃」を「Ｘ」に変換することを特徴とする。
【００１８】
さらにまた、第５の課題解決手段は、携帯端末で実行されるプログラムであって、
商品の情報を入力するステップと、
複数の出品者が商品を出品可能なオンラインショップのサーバ、またはオンラインオークションのサーバに接続するステップと、
入力された商品の情報を前記オンラインショップのサーバ、またはオンラインオークションのサーバに送信して商品を出品するステップとを有することを特徴とする。
【００１９】
さらにまた、第６の課題解決手段は、携帯端末から商品の情報を入力するステップと、
複数の出品者が商品を出品可能なオンラインショップのサーバ、またはオンラインオークションのサーバに接続するステップと、
入力された商品の情報を前記オンラインショップのサーバ、またはオンラインオークションのサーバに送信して商品を出品するステップとを有することを特徴とする。
【００２０】
上記第１、第２および第３の課題解決手段によれば、携帯電話などの携帯端末で、その商品のオンラインショップでの最安値やオンラインオークションの落札情報などを検索することができる。したがって、ユーザはリサイクルショップやフリーマーケットなどで見つけた商品を、その場でいくらで売れるか容易に知る事が出来るので、確実に利益になる商品のみを購入することができる。商品を特定する商品特定情報は、画像、電磁波、電波、音声または磁気を認識する認識手段で取得するので、ユーザがキーで入力する必要がなく、効率よく検索することができる。
【００２１】
上記第４の課題解決手段によれば、「＊」または「＃」が入力されると「Ｘ」に変換して検索する。したがって、商品を特定する情報としてＩＳＢＮコードをキー入力する場合、コードに「Ｘ」が含まれる場合であっても、「＊」や「＃」など、数字キーと同等に配置されるキーで入力することができるので、アルファベットを入力するためにわずらわしいキー操作が省かれ、効率よく検索することができる。
【００２２】
上記第５および第６の課題解決手段によれば、携帯端末からオンラインショップまたはオンラインオークションに出品できるので、商品を見つけたその場で出品することができる。
【発明の効果】
【００２３】
本発明によれば、高値で売れる商品を覚えておいたり、メモに書いて持ち歩いたりする必要なく、店頭で見つけた商品を、その場でいくらで売れるか検索できるので、確実に利益になる商品のみを購入することができる。
【発明を実施するための最良の形態】
【００２４】
図１は、本発明の出品情報取得プログラムが適用される環境を示すネットワーク図である。この図を参考にして、まずは、本発明が前提とするオンラインショップの動作について説明する。オンラインショップのサーバ１、オンラインオークションのサーバ６と出品情報提供装置２とはインターネットなどのネットワーク３を介して接続される。また、オンラインオークションの落札価格などの情報を収集するオークション情報収集サーバ７、およびオンラインショップに商品を出品するユーザのＰＣ（ｐｅｒｓｏｎａｌ  ｃｏｍｐｕｔｅｒ）４もネットワーク３に接続される。さらに、ユーザの持つ携帯端末５も無線でネットワーク３に接続される。携帯端末５は、携帯電話、ＰＨＳ（ｐｅｒｓｏｎａｌ  ｈａｎｄｙｐｈｏｎｅ  ｓｙｓｔｅｍ）、ＰＤＡ（ｐｅｒｓｏｎａｌ  ｄｉｇｉｔａｌ  ａｓｓｉｓｔａｎｃｅ）など、携帯可能で無線でインターネットに接続可能な端末であり、この携帯端末５で、本発明の実施の一形態である出品情報取得プログラムが実行される。
【００２５】
図２は、ＰＣ４で表示されるオンラインショップの商品ページを示す図である。ユーザのＰＣ４では、ブラウザなどでオンラインショップの商品ページ１０を閲覧する。一つの商品に対して一つの商品ページ１０が作成され、ユーザは商品名などから検索して商品ページ１０を表示させる。
【００２６】
商品ページ１０には、商品名１１、商品写真１２、価格１６などが表示される。さらに、その商品の説明として、商品内容や、評価（レビュー）、売り上げランキングなどが表示される。また、注文してから発送されるまでの期間である発送時期、出品者から中古品が出品されている場合には、中古品の価格１３などの情報も表示される。商品内容は、その商品の製造元から提供されたものや、オンラインショップで作成したものである。評価は、その商品を使ったことのあるユーザが、たとえば５段階で評価したものである。売り上げランキングは、このオンラインショップでの売り上げを示すものである。これらを参考にしてユーザは商品を購入することができる。
【００２７】
オンラインショップのサーバ１は、商品に関連して商品名や価格など、上記した情報をデータベースに記憶しており、ユーザのＰＣ４から商品が指定されると、データベースから関連する情報を取り出し、商品ページ１０を動的に生成する。
【００２８】
オンラインショップで販売される商品としては、書籍、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｃ）、ビデオ、ソフトウェア、電化製品、おもちゃ、チケットなど様々な商品がある。商品ページ１０を表示するには、商品名など商品を特定する情報を入力して検索するが、たとえば書籍の場合には、ＩＳＢＮコード（Ｉｎｔｅｒｎａｔｉｏｎａｌ  Ｓｔａｎｄａｒｄ  Ｂｏｏｋ  Ｎｕｍｂｅｒ：日本図書コード）、ＪＡＮコードなどのバーコード、または書籍タイトルと著者の組み合わせなど、商品を特定する情報であれば他の方法で検索することも可能である。また、ＣＤやＤＶＤなどの場合には、製造元が設定したコードやバーコードの数値などを商品特定情報として使用することができ、電化製品の場合には、ＪＡＮコードなどのバーコードの数値や型番などを商品特定情報として使用することができる。さらにまた、商品名の一部や商品の特徴を商品を特定する情報として入力し、それに該当するものが複数存在する場合、それをリストで表示し、その中からユーザが選択して商品を特定するように構成してもよい。
【００２９】
商品ページ１０には、注文ボタン１５があり、ユーザはこの注文ボタン１５を押して商品を注文することができる。ここで注文すると、このオンラインショップから購入することになる。このオンラインショップでは、ショップから直接購入するだけでなく、このショップに出品する出品者から購入することも可能である。商品ページ１０の中古価格１３にはリンクが張ってあり、このリンク先のページが、この商品と同じ商品を出品者が販売する出品者の販売ページとなっている。
【００３０】
図３は、中古価格１３のリンク先である出品者の販売ページを示す図である。出品者の販売ページのページ先頭には商品名２０が記載され、その下には、出品者の商品情報のリストが表示される。このリストは、一行に一つの出品情報が記載される。出品情報は、出品価格２１、コンディション２２、出品者名２３、コメント２４などを有し、さらに注文ボタン２５が設けられる。
【００３１】
出品価格は、その商品の販売価格であり、出品者が自分で決めたものである。コンディションは、その商品の状態であり、大きく「中古」「コレクター」の二つに分類され、それぞれ、「新品」「ほぼ新品」、「非常に良い」、「良い」、「可」など状態の良し悪しのランクで表される。これも出品者自身が決める。なお、「コレクター」とは、サイン入りなど付加価値の付いたものであり、オンラインショップの販売価格より高い値段で出品することができるものである。コメントは、商品の状態をさらに詳しく文章で説明するものであり、必要に応じて出品者が記載する。出品者の情報としては、出品者名２３だけでなく、出品者の評価などを表示するようにしてもよい。出品者の評価とは、この出品者から商品を購入したことのあるユーザが取引内容を、たとえば５段階で評価するものである。たとえば、この評価の平均値、および評価回数を出品者情報として表示する。
【００３２】
こういった情報が、出品商品に関連してオンラインショップのサーバ１のデータベースに記録されており、ＰＣ４から出品者の販売ページの表示が指示されると、サーバ１は、データベースから必要な情報を取得して動的に販売ページを生成する。商品のリストは、たとえば販売価格の安い順に並ぶように表示され、最も価格の安い商品が最も上に表示されるようになる。また、１ページの商品の表示数も、たとえば５品とあらかじめ決められており、それより多い商品が出品されている場合には、「次ページ」などとリンクが表示され、このリンク先に残りの商品が表示されるようになっている。
【００３３】
つぎに、オンラインオークションのサーバ６およびオークション情報収集サーバ７について説明する。オンラインオークションは、ユーザが自分の商品を出品し、他のユーザが落札して取引が成立する。オークションであるので、出品者が開始価格を設定し、落札しようとするユーザが、落札希望額を提示し、最も高い落札希望額を提示したユーザが落札者となる。
【００３４】
出品者はそれぞれ自分のＰＣ４でオンラインオークションのサーバ２にアクセスし、商品名、商品の説明、開始価格を設定する。一つの商品に対し、一つの商品ページが作成され、この商品ページに商品名、商品写真、商品の説明、開始価格、現在の価格、オークション終了日時などの情報が記載される。落札しようとするユーザは、商品名などで商品を検索して商品ページを表示し、そこから入札する。そして、オークション終了時刻に一番高い額の入札をしていた人が落札者となる。
【００３５】
オークション情報収集サーバ７は、オンラインオークションのサーバ６にアクセスし、現在出品されている商品と、その現在価格、さらに過去に落札された商品とその落札価格の情報を収集してデータベースに格納している。過去の落札価格としては、一定期間、たとえば過去３０日、過去６０日、過去半年、過去１年などの期間での全ての商品の落札価格、平均落札価格などの情報を蓄えている。そして、商品名などを指定すると、その商品の現在の価格、過去の落札価格、平均落札価格などの情報を送り返す機能を有する。
【００３６】
図４は、出品情報提供プログラムの構成を示すブロック図である。出品情報提供装置２は、ネットワーク３に接続されるコンピュータであり、出品情報提供プログラム３０が実行され、携帯端末５からの要求に応えるサーバとして機能する。
【００３７】
出品情報提供プログラム３０は、携帯端末５からの情報を受信する受信部３１、携帯端末に情報を送信する送信部３２、オンラインショップのサーバ１にアクセスし、オンラインショップに出品されている商品の情報を取得するオンラインショップ情報取得部３３、およびオークションの情報収集サーバ７にアクセスし、落札価格などの情報を取得するオークション情報取得部３４とを有する。
【００３８】
オンラインショップのサーバ１は、ＩＳＢＮや商品名などの情報を受け取ると、それを基に検索し、その商品の出品価格の情報などを返す出品情報検索機能を有し、オンラインショップ情報取得部３３は、この機能を使って出品商品の情報を取得する。同様に、オークション情報収集サーバ７は、商品名などの情報を受け取ると、それを基に検索し、その商品の過去の落札価格を返す落札情報検索機能を有し、オークション情報取得部３４は、この機能を使ってオークション情報を取得する。
【００３９】
図５は、携帯端末５で実行される出品情報取得プログラムの構成を示すブロック図である。携帯端末５は認識手段であるＣＣＤ（Ｃｈａｒｇｅ  Ｃｏｕｐｌｅｄ  Ｄｅｖｉｃｅ）カメラを内蔵する携帯電話であり、プログラムをネットワーク３経由でダウンロードして実行できる機能を有する。ここでは、出品情報取得プログラム３５をサーバから携帯端末５にダウンロードして実行するものとする。一旦、ダウンロードしたプログラムは、携帯端末５に保存され、次回からは保存したプログラムを実行する。
【００４０】
出品情報取得プログラム３５は、ネットワーク３と通信する通信部３６、およびＣＣＤカメラからの画像情報を解析する画像解析部３７を有する。
【００４１】
つぎに、携帯端末５を使って出品情報を得る方法について詳細に説明する。ユーザが、リサイクル店やフリーマーケットなどで安い商品を見つけたとする。そんな場合、携帯電話などの携帯端末５を使い、出品情報提供装置２にアクセスし、店頭での価格がオンラインショップの出品価格より安いかどうか調べ、安くて十分な利益が見込める場合に購入する。
【００４２】
図６は、携帯端末５で商品検索するときの検索画面である。検索画面には、バーコードリーダーボタン４１とＯＣＲボタン４２が表示される。バーコードリーダは、商品にバーコードが付いている場合に使い、バーコードリーダーボタン４１を押すと、カメラが起動する。バーコードが表示される位置で携帯端末５のシャッターボタンを押すと、バーコードがＣＣＤカメラで読み取られ、読み取った画像が画像解析部３７で数字に変換される。さらに、たとえば書籍ＪＡＮコードの場合、変換された値は１３桁であるので、それをＩＳＢＮコードの１０桁に変換する機能も有する。そして、１０桁のＩＳＢＮコードが通信部３６によって出品商品提供装置２に送られる。
【００４３】
商品にバーコードが記載されてなく、ＩＳＢＮの数字のみが表示される場合に、ＯＣＲボタン４２を押す。すると、カメラが起動するので、ＩＳＢＮの数字が表示された位置でシャッターボタンを押す。すると、ＣＣＤカメラで読み取られた画像が画像解析部３７のＯＣＲ（Ｏｐｔｉｃａｌ  Ｃｈａｒａｃｔｅｒ  Ｒｅａｄｅｒ）機能で数字または文字に変換される。このとき、ハイフンやＩＳＮＢなどの文字は削除し、１０桁のＩＳＢＮ番号のみに整形される。そして、１０桁のＩＳＢＮコードが出品商品情報提供装置２に送られる。
【００４４】
このようにして、バーコードリーダーボタン４１またはＯＣＲボタン４２を押してシャッターボタンを押すだけで、自動でＩＳＢＮコードを出品情報提供装置２に送信することができる。また、このようにバーコードボタン４１とＯＣＲボタンを別々に設けるのでなく、一つの検索ボタンのみ設け、検索ボタンを押すと自動でピントを合わせてシャッターを切り、取得した画像がバーコードの場合はバーコード読み取り、数字・文字情報の場合はＯＣＲが起動して読み取り、結果を出品情報提供装置２に送信するように構成してもよい。
【００４５】
ＩＳＢＮコードが出品情報提供装置２に送信されると、出品情報提供プログラム３０の受信部３２で受信される。受信部３２で受信したＩＳＢＮは、オンラインショップ情報取得部３３に渡され、さらにオンラインショップのサーバ１の出品情報検索機能を使い、出品情報を検索する。検索結果は、送信部３２によって携帯端末５に返される。
【００４６】
図７は、オンラインショップ情報取得部３３による検索結果の表示画面を示す図である。画面の一番上に、入力したＩＳＢＮ番号５０が表示される。ここでＩＳＢＮ番号の入力間違いがないか確認することができる。その下に、書名・タイトル５１が表示される。その次の５２には、オンラインショップで品切れかどうかが表示される。品切れであると、高値で売れる確率が高くなるので、この表示は購入するかどうか決めるのに大いに役立つ。
【００４７】
その次にオンラインショップでの総出品数５３が表示される。総出品数が多いほど、価格が下がり安いという傾向があるので、この表示も購入するのに大いに参考になる。その下には、おすすめ度５４が表示される。これはカスタマーレビュー（評価）の平均値である。これも、おすすめ度が高いほど売れ易くなるので、購入するのに参考になる。
【００４８】
その下には、カスタマーレビュー数（評価）５５が表示される。カスタマーレビュー数は、レビュー（評価）の書き込み数を表し、これも書き込み数が多いほど、その商品に対するユーザの関心が高いことを示し、カスタマーレビュー数が多いほど売れ易いと判断でき、これも購入の参考になる。
【００４９】
その下には、ランキング５６が表示される。これは、オンラインショップでの売上ランキングであり、ランキングが高い良く売れていることを示しているので、大いに購入の参考になる情報である。
【００５０】
その下には、予約注文価格５７が表示される。オンラインショップでは、商品を購入するユーザは予約注文することができる。予約注文とは、ユーザが自分で買いたい値段とコンディションをあらかじめオンラインショップに登録しておき、その条件にあう商品が出品されたとき、ユーザはその商品を購入するというシステムである。商品を出品するとき、その商品の条件に合う予約注文が入っている場合、オンラインショップではその事を出品者に通知するシステムとなっている。この機能を利用し、たとえばコンディション「良い」で出品することで、その商品の予約注文の値段を知ることが出来る。
【００５１】
したがって、オンラインショップ情報取得部３３は、この方法をつかって、「良い」で出品した場合の予約注文価格を取得し、それを予約注文価格５７として表示する。予約注文価格は、コンディションが同等または上で、かつ予約注文価格よりも安い値段で出品すれば、必ず購入者がいることを示す情報なので、これも購入の際に大いに参考になる情報である。
【００５２】
その下には、出品価格５８が最大５つ、安い順に表示される。通常、最も安い商品から売れていくので、この最安値が最も参考になる情報である。なお、価格の前に表示される「Ｕ」はＵＳＥＤ、つまり中古を示す。なおコレクションの場合は「Ｃ」が表示される。また、価格の後にはその商品のコンディションが表示される。
【００５３】
その下には、図５と同様の検索画面が表示される。したがって、ここに先ほどと同様にＩＳＢＮを入力して引き続いて検索することができる。
【００５４】
さらにその下には、オークションでの落札相場ボタン６１が表示される。このボタン６１を押すと、その本のタイトルが出品情報提供プログラム３０の受信部３１で受信され、受信したタイトルがオークション情報取得部３４に渡され、オークション情報収集サーバ７で検索される。そして、たとえば最近３０日の落札価格が検索され、送信部３２を介して携帯端末５に送られて表示される。
【００５５】
表示結果としては、オークションの商品タイトルと、落札価格、落札日、入札件数などである。オンラインショップに出品されていない場合であっても、この落札価格がわかればその商品の相場がわかるので、購入するのに大いに参考になる。またオンラインショップだけでなく、オークションに出品する場合の参考にもなる。
【００５６】
図８は、機能選択ページを示す図である。出品情報提供プログラム３０を使用するには、まず最初にこのページ７０で設定しておく。
【００５７】
出品情報提供プログラム３０は、ＩＳＢＮ検索機能、出品数表示機能、価格表示機能、売上ランキング表示機能、おすすめ度表示機能、レビュー数表示機能、発送可能時期表示機能、オンラインショップ品切れ表示機能、オークション相場連動機能、予約注文価格表示機能、同時複数検索機能、ＣＤ・ＤＶＤ検索機能を有し、これらの機能のうち、どれを使うか選択することができる。
【００５８】
図８に示されるように、機能選択ページには、上から順に詳細表示版ボタン７１、シンプル版ボタン７２、複数検索版ボタン７３、予約注文版ボタン７４、カスタム版ボタン７５が表示される。詳細表示版とは、上記した機能のうち、予約注文価格表示機能と同時複数検索機能以外の全ての機能が使用できるものである。なお、価格表示機能は、最大５件表示可能である。詳細表示版ボタン７１を押した先のページは、図５に示す検索ページが表示され、ここでＩＳＢＮを入力して検索すると、詳細表示版で選択される機能で検索することができる。詳細表示機能としては、上記したもの以外に、出版年や発行年といった情報を表示するようにしてもよい。
【００５９】
シンプル版とは、最大５件の価格表示機能とオンラインショップ品切れ表示機能とＣＤ・ＤＶＤ検索機能のみに特化したもので、表示項目が少なく見やすいという特徴を有する。これは、シンプル版ボタン７２を押した先の検索ページから検索する。
【００６０】
複数検索版は、シンプル版に同時複数検索機能を追加したものである。同時複数検索機能とは、ＩＳＢＮをスペースで区切って複数入力することで、まとめて複数の出品情報を得ることができる機能である。この機能は、たとえば電波状況が悪く、検索に時間がかかるような店で使用するときに有用で、複数まとめて入力した状態で、電波状態の良い場所で検索するといった使い方ができる。この複数検索版は、複数検索版ボタン７３を押したさきの検索ページから検索することができる。
【００６１】
予約注文版とは、詳細版の機能に予約注文価格表示機能を追加したもので、予約注文版ボタン７４を押した先のページで検索する。なお、図７で説明した検索結果は、この予約注文版での検索結果である。先に説明したように、予約注文がわかることで、確実に売れる商品を知ることができる。
【００６２】
カスタマイズ版とは、多くの機能の中からユーザが必要な機能を任意に選択できるものであり、選択可能な機能は、価格表示件数指定機能、売上ランキング表示機能、おすすめ度表示機能、レビュー数表示機能、発送可能時期表示機能、オークション相場連動機能、予約注文価格表示機能、同時複数検索機能である。それぞれ、カスタム版ボタン７５の下にある価格表示件数７６、ＩＳＢＮ複数入力７７、発送可能時期７８、おすすめ度７９、カスタマーレビュー数８０、売上ランキング８１、予約注文価格８２、オークション相場８３のチェックボックスで選択する。選択した後、カスタム版ボタン７５または８４を押した先の検索ページで検索すると、選択した機能のみで検索が実行される。
【００６３】
なお、機能選択後のページを、ブックマークなどでＵＲＬを記憶させておくことで、次から機能選択後のページを直接表示させることができる。
【００６４】
本発明の出品情報取得プログラム３５は、サーバから携帯端末５にダウンロードされて実行されるが、サーバに置かれる出品情報取得プログラム３５は、ＣＤ−ＲＯＭ（Ｃｏｍｐａｃｔ  Ｄｉｓｋ−Ｒｅａｄ  Ｏｎｌｙ  Ｍｅｍｏｒｙ）などの記憶媒体に記憶されて配布されても良く、別のサーバに保存され、ネットワーク経由で配布されてもよい。
【００６５】
上記した実施形態では、ダウンロードした出品情報取得プログラム３５を用いて出品情報を検索するのに、バーコードボタン４１またはＯＣＲボタン４２を押し、シャッターボタンを押すことで自動で検索するように構成されるが、本発明はこのような出品情報取得プログラム３５を用いるものだけでなく、たとえば手動でバーコードリーダを起動させてバーコードを読み取り、読み取ったＪＡＮコードの数値を出品情報提供装置２に送信するように構成してもよい。この場合、出品情報提供プログラム３０側に１３桁のＪＡＮコードを１０桁のＩＳＢＮコードに変換する機能を持たせておく。
【００６６】
同様に、ＯＣＲを手動で起動し、ＩＳＢＮコードを読み取らせ、読み取った数字、文字を出品情報提供プログラム３０に送信するように構成してもよい。この場合、出品情報提供プログラム３０側に、ハイフンやＩＳＢＮの文字などを削除し、１０桁のＩＳＢＮコードに整形する機能を持たせる。
【００６７】
このように、携帯端末５で実行される出品情報取得プログラム３５を用いるのでなく、手動で一連の動作を行う場合でも同様の効果が得られる。この場合、出品情報取得プログラム３５をダウンロードしなくとも、カメラを使ったバーコードや文字認識を行うことができる。
【００６８】
また、ＣＣＤカメラなどの認識手段を使うのでなく、携帯端末５のキーを使ってＩＳＢＮコードを入力するように構成してもよい。この機能は、ＣＣＤカメラで読み取れない場合に使用するなど、使い分けるようにしてもよい。この場合、携帯電話の場合、数字を入力するのは簡単であるが、アルファベットを入力するには入力方法を変更するなど、煩雑な操作をしなければならない。しかしながら、ＩＳＢＮコードの場合、入力するのは数値とアルファベットの「Ｘ」だけである。そこで、本発明では携帯電話の数字キーと同様に配置される「＊」キーまたは「＃」キーが押されると、出品情報取得プログラム３５で「Ｘ」に変換する機能を有する。これによって、煩雑な操作をすることなく数字キーと同様に簡単に「Ｘ」を入力することができ、ＩＳＢＮコードを簡単に入力することができる。
【００６９】
また、上記した実施形態では、商品を特定する商品特定情報を認識する認識手段としてＣＣＤカメラを用いたが、認識手段はこれに限るものでない。たとえば、携帯電話のマイクを認識手段として用い、音声認識により数字または文字などのテキストデータに変換する機能を用いるようにしてもよい。この場合、ユーザは、たとえば音声認識ボタンを押しながら、ＩＳＢＮ番号を読み上げ、音声認識機能によってそれを数値に変換する。これによって、カメラを起動することなく簡単にＩＳＢＮコードを入力することができる。さらに、ＩＳＢＮ番号を読み上げるのでなく、商品のタイトルを直接読み上げ、それを音声認識によってテキストデータに変換するように構成してもよい。これによって、ＩＳＮＢコードやＪＡＮコードが記載されない商品であっても容易に検索することができる。
【００７０】
さらに、商品にＲＦＩＤタグ（Ｒａｄｉｏ  Ｆｒｅｑｕｅｎｃｙ  Ｉｄｅｎｔｉｆｉｃａｔｉｏｎ  Ｔａｇ：無線ＩＣタグ）が付いている場合には、このＲＦＩＤタグを無線で読み取る認識手段を用いるようにしてもよい。ＲＦＤＩタグは、特定の電波または電磁波を受信すると、その電波による起電力で自分の固有の情報を送信する。認識手段は、送り返された電波を読み取って、その商品固有の情報、たとえばＪＡＮコードなどを読み取ることができる。したがって、ユーザは商品を棚から取り出すことなく商品の識別コードを読み取ることができ、簡単に商品の出品情報を検索することができる。電波の届く範囲が短い場合には、商品を棚から取り出し、タグ上に認識手段をかざして商品固有の情報を読み取るようにしてもよい。
【００７１】
またさらに、商品に磁気テープなど磁気によって商品固有の情報が記録されている場合には、磁気情報を読み取る認識手段を用いても良い。この認識手段を商品の磁気の上をなぞることで、商品固有の情報を読み取る。
【００７２】
このような認識手段は、携帯端末に内蔵されるタイプでもよく、携帯端末に外付けで取り付けるタイプでもよい。この場合、認識手段と携帯端末５とはケーブルで接続されても良く、無線で接続されてもよい。外付けの場合、認識手段をバーコードまたはＩＳＢＮの数字の上に押し当てて読み取るように構成してもよい。このように構成することによって、手振れしにくくなり、読み取り精度を向上させることができる。また、バーコードリーダに特化した認識手段の場合には、ＣＣＤカメラでなく赤外線バーコードリーダを用いてもよい。この場合、バーコードリーダは、赤外線読み取り部が複数並列に配置され、一度にバーコードを読み取るタイプでもよく、一対の赤外線読み取り部を有し、バーコード上をスライドさせて読み取るペン型バーコードリーダでもよい。
【００７３】
図９は、本発明の他の実施形態である出品情報取得プログラム１００の構成を示すブロック図である。出品情報取得プログラム１００は、出品情報提供装置２と通信せずに、直接オンラインショップのサーバ６およびオークション情報収集サーバ７と通信する点が出品情報取得装置３０と異なる。その他の構成は同様であるので、対応する構成には同一の参照符号を付し、説明を省略する。
【００７４】
出品情報取得プログラム１００は、ネットワーク２に接続する通信部１０１、オンラインショップのサーバ７と通信してオンラインショップの出品情報を取得するオンラインショップ情報取得部１０２、オークション情報収集サーバ７と通信し、オークション情報を取得するオークション情報取得部１０３、オンラインショップに商品を出品するオンラインショップ商品出品制御部１０４、およびＣＣＤカメラからの画像を解析し、ＩＳＢＮ番号などの商品固有の情報を取得する画像解析部１０５を有する。
【００７５】
オンラインショップ情報取得部１０２は、オンラインショップのサーバ１と通信し、出品情報検索機能を使って検索した商品の最安値やランキングなどの出品情報をオンラインショップから直接取得する。同様に、オークション情報取得部１０３は、オークション情報収集サーバ７と通信し、落札情報検索機能を使って検索した商品の過去の落札価格などの情報を取得する。
【００７６】
商品を検索するには、先の実施形態と同様に、図６に示した画面でバーコードリーダかＯＣＲを選択し、ＣＣＤカメラのシャッターボタンを押すだけで、自動で画像解析部１０５がバーコードまたはＩＳＢＮの数字を画像解析して数値を抽出し、オンラインショップ情報収集部１０２またはオークション情報取得部１０３を使って検索し、検索結果を表示する。
【００７７】
本実施形態のもう一つの特徴は、携帯端末５からオンラインショップに商品を出品できることである。これは、商品を検索し、その場でその商品を出品する場合に適用することができる。たとえば、商品検索し、その結果画面に出品ボタンを表示させる。検索結果をみて、その場で出品する場合は、その出品ボタンを押す。すると、図１０に示す出品画面１１０が開く。
【００７８】
出品画面１１０には、検索した商品のＩＳＢＮコード１１１が表示される。その下には出品価格１１２が設定される。出品価格は、たとえば検索結果の最安値が自動で設定される。価格を修正する場合は、出品価格１１２をクリックすることで、テキストデータを入力できる画面が開き、そこに任意の数値を入力する。
【００７９】
コンディションは、コンディションボタン１１３を押すと、「ほぼ新品」「非常に良い」「良い」「可」などの項目が並んだ画面が開き、ここで選んでコンディションを設定する。コメントも同様に、コメントボタン１１４を押すと、あらかじめ用意された複数のコメントが表示される。たとえば「書き込みなし」、「帯あり」または「初版」などのコメントを選べるようになっている。それ以外のコメントを入力するには、テキストデータを自由に入力できる画面を開き、そこで自由にコメントを入力することもできる。
【００８０】
このようにして、出品するためのデータをすべて入力すると、最後に出品ボタン１１５を押す。すると、出品データが一つのファイルとなってオンラインショップのサーバ１にアップロードされ、商品が出品される。このようにして、商品を見つけたその場で出品できるので、家に持ち帰ってから新たに出品する手間が省かれる。家に持ち帰って出品する場合には、新たにＩＳＢＮコードを入力しなければならないが、検索した直後に出品することで、ＩＳＢＮコード入力の手間が省かれる。
【００８１】
携帯端末５からオンラインショップへの他の出品方法として、携帯端末５のブラウザでオンラインショップのウェブページにアクセスし、そこから出品ページを開き、必要な項目を埋めてウェブページの出品ボタンを押して出品することもできる。このような方法でも、自宅でＰＣから出品するのと同様に携帯端末から、商品を見つけたその場で出品でき、商品出品の効率化が図られる。
【００８２】
なお、本実施形態でも先の実施形態で説明した認識手段が全て適用可能である。
【産業上の利用可能性】
【００８３】
上述したように、本発明の出品情報提供装置を使えば、携帯電話などユーザが外出するときに所持する携帯端末でオンラインショップでの商品の出品価格やオンラインオークションでの商品の落札価格を知ることができる。これによって、リサイクルショップやフリーマーケットなどで見つけた商品をその場で検索して、オンラインショップやオンラインオークションなどで売った場合に確実に利益になる商品のみを選ぶことができる。
【００８４】
いままでは、家庭でいらなくなった商品はリサイクルショップやフリーマーケットなどを通じてリサイクルされていたが、本発明を用いれば、インターネットを介して国内、国外問わず広範囲でリサイクルされることになる。
【００８５】
また、一般の人が容易にリサイクル産業に参入することができるようにもなる。
【図面の簡単な説明】
【００８６】
【図１】本発明の出品情報取得プログラムが適用される環境を示すネットワーク図である。
【図２】オンラインショップの商品ページを示す図である。
【図３】出品者の販売ページを示す図である。
【図４】出品情報提供プログラムのブロック図である。
【図５】携帯端末で実行される出品情報取得プログラムの構成を示すブロック図である。
【図６】携帯端末で商品検索するときの検索画面である。
【図７】オンラインショップ情報取得部による検索結果の表示画面を示す図である。
【図８】携帯端末での機能選択ページを示す図である。
【図９】本発明の他の実施形態である出品情報取得プログラム１００の構成を示すブロック図である。
【図１０】出品画面を示す図である。
【符号の説明】
【００８７】
１  オンラインショップのサーバ
２  出品情報提供装置
３  ネットワーク
４  ＰＣ
５  携帯端末
６  オンラインオークションのサーバ
７  オークション情報収集サーバ
３０  出品情報提供プログラム
３１  受信部
３２  送信部
３３  オンラインショップ情報取得部
３４  オークション情報取得部
３５，１００  出品情報取得プログラム
３７  画像解析部
【図１】
2007048021.tif 000003
【図２】
2007048021.tif 000004
【図３】
2007048021.tif 000005
【図４】
2007048021.tif 000006
【図５】
2007048021.tif 000007
【図６】
2007048021.tif 000008
【図７】
2007048021.tif 000009
【図８】
2007048021.tif 000010
【図９】
2007048021.tif 000011
【図１０】
2007048021.tif 000012